(57)【要約】【課題】複数の扉の施錠を一つの扉において行う施錠装置における施錠のための作業性を向上させること。【解決手段】施錠装置は、キャビネットが備える第一扉に設置され前記キャビネットの本体部に設置された第一被挿入部に挿入された場合に前記第一扉を開かなくする第一挿入部と、前記本体部に設置され前記キャビネットの第二扉に設置された第二被挿入部に挿入された場合に前記第二扉を開かなくする第二挿入部と、前記第一挿入部の前記第一被挿入部への挿入である第一挿入と前記第二挿入部の前記第二被挿入部への挿入である第二挿入とを連動して行わせる連動部と、前記第一挿入及び前記第二挿入のための操作を開錠により可能にし、前記第一挿入及び前記第二挿入の解除のための操作を施錠により不能にする操作部と、を備える。【選択図】      図１
2020183682.tif 000002
【特許請求の範囲】
【請求項１】
キャビネットが備える第一扉に設置され前記キャビネットの本体部に設置された第一被挿入部に挿入された場合に前記第一扉を開かなくする第一挿入部と、
前記本体部に設置され前記キャビネットの第二扉に設置された第二被挿入部に挿入された場合に前記第二扉を開かなくする第二挿入部と、
前記第一挿入と前記第二挿入とを連動して行わせる連動部と、
前記第一挿入部の前記第一被挿入部への挿入である第一挿入及び前記第二挿入部の前記第二被挿入部への挿入である第二挿入のための操作を開錠により可能にし、前記第一挿入及び前記第二挿入の解除のための操作を施錠により不能にする操作部と、
を備える、
施錠装置。
【請求項２】
前記操作部は前記第一扉に設置されている、請求項１に記載された施錠装置。
【請求項３】
前記第一挿入部は前記操作部に接続されている、請求項１又は請求項２に記載された施錠装置。
【請求項４】
前記第一挿入部及び前記第二挿入部は、前記操作部が備えるハンドルを操作することにより行われる、請求項１乃至請求項３のうちのいずれか一に記載された施錠装置。
【請求項５】
前記施錠により前記ハンドルが操作不能になる、請求項４に記載された施錠装置。
【請求項６】
前記第一扉が閉まった時に、前記第一挿入部と前記第二挿入部とが前記連動部により連結される、請求項１乃至請求項５のうちのいずれか一に記載された施錠装置。
【請求項７】
前記第一扉が前記キャビネットの前面にあり、前記第二扉が前記キャビネットの背面にある、請求項１乃至請求項６のうちのいずれか一に記載された施錠装置。
【請求項８】
前記第一扉が前記キャビネットの前面にあり、前記第二扉が前記キャビネットの側面にある、請求項１乃至請求項６のうちのいずれか一に記載された施錠装置。
【請求項９】
前記第二挿入部が折れ曲がっている、請求項８に記載された施錠装置。
【請求項１０】
請求項１乃至請求項９のうちのいずれか一に記載された施錠装置と前記キャビネットとを備える施錠可能キャビネット。
【発明の詳細な説明】
【技術分野】
【０００１】
本発明はキャビネットの施錠に関する。
【背景技術】
【０００２】
電子装置等を収容するキャビネットが複数の扉を有しその各々について施錠を行いたい場合がある。その場合において扉ごとに鍵が設置されていると施錠忘れのリスクが高くなる。例えば、前後に扉が設けられたキャビネットが複数並んでいる場合を想定する。その場合、作業者は前面及び背面の各々の扉を施錠することになる。しかしながら、作業者が裏側に回り込んだ際に、対象キャビネットを間違え、施錠忘れになる場合が想定され得る。そのため、キャビネットの施錠は前面等の一つの向きから行えることが望ましい。
【０００３】
この問題の解決を目指し、特許文献１は、開口面に所定のカバーを取り付けてなる筐体のカバー施錠構造を開示する。特許文献１は、複数の扉の施錠を前面の未から行うことを可能にする。
【先行技術文献】
【特許文献】
【０００４】
【特許文献１】実開昭６０−１７４７６９号公報
【発明の概要】
【発明が解決しようとする課題】
【０００５】
しかしながら、特許文献１が開示する施錠構造は、複数の扉を施錠するために、一方の扉を施錠する操作をしてから、他方の扉を取り付けるという動作を必要とする。そのため、当該施錠構造は、施錠時に他方の扉を筐体に取り付けるために背面等に作業者が回り込み取付け作業を行う必要があり、作業性が悪い。
【０００６】
本発明は、複数の扉の施錠を一つの扉において行う施錠装置における施錠のための作業性の向上を目的とする。
【課題を解決するための手段】
【０００７】
本発明の施錠装置は、キャビネットが備える第一扉に設置され前記キャビネットの本体部に設置された第一被挿入部に挿入された場合に前記第一扉を開かなくする第一挿入部と、前記本体部に設置され前記キャビネットの第二扉に設置された第二被挿入部に挿入された場合に前記第二扉を開かなくする第二挿入部と、前記第一挿入部の前記第一被挿入部への挿入である第一挿入と前記第二挿入部の前記第二被挿入部への挿入である第二挿入とを連動して行わせる連動部と、前記第一挿入及び前記第二挿入のための操作を開錠により可能にし、前記第一挿入及び前記第二挿入の解除のための操作を施錠により不能にする操作部と、を備える。
【発明の効果】
【０００８】
本発明の施錠装置等は、複数の扉の施錠を一つの扉において行う施錠装置における施錠のための作業性を向上させ得る。
【図面の簡単な説明】
【０００９】
【図１】第一実施形態のキャビネットの構成例を表す概念図（その１）である。
【図２】第一実施形態のキャビネットの構成例を表す概念図（その２）である。
【図３】第一実施形態のキャビネットの構成例を表す概念図（その３）である。
【図４】ハンドルユニットの構成例を表す概念図である。
【図５】ハンドルユニットが取り得る状態を表す概念図である。
【図６】ハンドルユニットの分解図である。
【図７】軸部の構成を表す概念図である。
【図８】軸部の分解図である。
【図９】軸部及び被挿入用部品の本体部への設置のされ方を表す概念図である。
【図１０】キャビネットの反対側扉を閉める様子を表す概念図である。
【図１１】挿入用部品３ａの被挿入用部品１９ａと縦フレーム１８ｃとの間への挿入後の状態を表す概念図である。
【図１２】挿入用部品３ｂの被挿入用部品１９ｂと反対側面部材２２ａの裏面９０１ｄとの間への挿入後の状態を表す概念図である。
【図１３】第二実施形態のキャビネットの構成例を表す概念図（その１）である。
【図１４】第二実施形態のキャビネットの構成例を表す概念図（その２）である。
【図１５】軸部の本体部への設置のされ方を表す概念図である。
【図１６】曲折部３ｂｂａが被挿入用部品１９ｂと側面扉２５との間に挿入された状態を表す概念図である。
【図１７】実施形態の施錠装置の最小限の構成を表すブロック図である。
【発明を実施するための形態】
【００１０】
＜第一実施形態＞
第一実施形態は、前面側と背面側の扉が開閉するキャビネットに関する実施形態である。
［構成と動作］
図１乃至図３は、第一実施形態のキャビネットの例であるキャビネット１０１の構成を表す概念図である。図１は、二つの扉を開いて前面側から見た場合を想定した斜視図である。図２は、背面側から見た場合を想定した斜視図である。図３は、二つの扉を図示しない場合の前面側の図１の場合とは異なる向きを見た場合を想定した斜視図である。
【００１１】
キャビネット１０１は、本体部１８と、施錠側扉２１と反対側扉２２とを備える。
【００１２】
施錠側扉２１は、作業者等が、施錠側扉２１及び反対側扉２２を閉めた状態でこれらの施錠を行う側の扉である。反対側扉２２は、施錠側扉２１に対向する扉である。
【００１３】
施錠側扉２１の、図１に表す縦フレーム２１ｂと本体部１８の縦フレーム１８ｂとは、蝶番２０ａ及び２０ｂを介して接続されている。ここで、縦フレームはフレームの縦長の部分をいうことにする。これにより、施錠側扉２１は、本体部１８に対して開閉する。
【００１４】
反対側扉２２の図２に表す縦フレーム２２ｂと本体部１８の縦フレーム１８ｃとは蝶番２０ｃ及び蝶番２０ｄにより接続されている。これにより、反対側扉２２は本体部１８に対して開閉する。蝶番２０ｃ及び２０ｄは、例えば、スプリングを内蔵するスプリング蝶番である。スプリング蝶番は一般的に市販されている。当該スプリングの弾性力は、反対側扉２２を本体部１８に対して閉める方向に働く。その場合、反対側扉２２は、例えば、作業者が閉まるのを止めておかない限り、自動的に閉まる。当該構造は、反対側扉２２の閉め忘れの防止に寄与する。
【００１５】
図１に表されるように、施錠側扉２１の正面部材２１ａにはハンドルユニット１が設置されている。また、図１に表されるように、本体部１８の縦フレーム１８ｃには、被挿入用部品１９ａが設置されている。
【００１６】
また、図３に表されるように、本体部１８の側面部材１８ａの裏面９０１ａには、部材３６ａ及び３６ｂが設置されている。ここで、裏面は、キャビネットの中側の面をいうこととする。部材３６ａ及び３６ｂには、軸部３１の回転軸部９が、部材３６ａ及び３６ｂに対して回転可能なように、挿入されている。回転軸部９の端部９０６ａ近傍には挿入用部品３ｂが設置されている。挿入用部品３ｂは、回転軸部９の回転にともない、回転軸部９を中心に回転する。
【００１７】
また、図２に表すように、反対側扉２２の縦フレーム２２ｃには被挿入用部品１９ｂが設置されている。反対側扉２２の縦フレーム２２ｃには当該設置のための切り欠けがある。また、図示はされないが反対側扉２２の縦フレーム２２ｃと反対側面部材２２ａの裏面９０１ｄとの間には縦フレーム２２ｂが存在する側が開放された隙間がある。
【００１８】
作業者等は、キャビネット１０１を施錠する際には、施錠側扉２１及び反対側扉２２が閉まった状態で、施錠側扉２１に設けられたハンドルユニット１のハンドル部（図５のハンドル部６０）を正面側から操作する。ただし、この場合の正面側は、施錠側扉２１及び反対側扉２２が閉まった状態における正面側である。
【００１９】
すると、図１に表すハンドルユニット１の挿入用部品３ａが、被挿入用部品１９ａと本体部１８の縦フレーム１８ｃとの間に挿入され、施錠側扉２１が開かなくなる。それと同時に、ハンドルユニット１の操作により、図３に表す回転軸部９が回転する。そして、挿入用部品３ｂが回転軸部９を中心に回転し、図２に表す被挿入用部品１９ｂと反対側扉２２の裏面９０１ｄとの間に挿入され、反対側扉２２が開かなくなる。
【００２０】
その上で、作業者等によるハンドルユニット１の施錠により、ハンドルユニット１の操作ができない状態にされる。これらにより、施錠側扉２１及び反対側扉２２が閉まった状態で、施錠される。
【００２１】
一方、施錠側扉２１及び反対側扉２２が開錠される際には、まず、作業者の鍵操作により、ハンドルユニット１が開錠され操作可能な状態にされる。この状態で、作業者等がハンドルユニット１を操作し、図１の挿入用部品３ａを被挿入用部品１９ａと縦フレーム１８ｃとの間からはずす。それと同時に、図２の挿入用部品３ｂを被挿入用部品１９ｂと裏面９０１ｄとの間からはずす。これにより、施錠側扉及び反対側扉２２は開くことができるようになる。
【００２２】
以下、キャビネット１０１の部分の詳細について説明する。
【００２３】
図４は、図１に表すハンドルユニット１の構成例を表す概念図である。図４（ａ）は、ハンドルユニット１の背面側を見た斜視図である。ここで、背面側は、正面側の反対側である。また、図４（ｂ）は、ハンドルユニット１の背面側を見た正面図である。また、図４（ｃ）は、ハンドルユニット１の正面側を見た斜視図である。
【００２４】
ハンドルユニット１は、先端部５７と、挿入用部品３ａと、軸部５４と、ハンドル装置５６と、を備える。ハンドル装置５６は、ハンドル部６０と、鍵本体部５９と、部品６２とを備える。先端部５７には凸部５が設けられている。凸部５は、図４（ｂ）に表す見方において、直方体からずれた台形になっている。
【００２５】
なお、ハンドルユニット１は、施錠側扉２１の前面に裏面９０２ａが接するようにされた上で、背面側から、ねじ穴５８ａ及び５８ｂに、図１に表す施錠側扉２１の正面部材２１ａに設けられた図示されない穴にねじ止めされる。その際に、軸部５４は、正面部材２１ａに設けられた穴を貫通する。ハンドルユニット１のそのような施錠側扉２１への設置は、ハンドルユニット１が図６に表すように分解可能なため行える。
【００２６】
図５は、図４に表すハンドルユニット１が取り得る状態を表す概念図である。
【００２７】
図５（ａ）は、鍵本体部５９の鍵６１による施錠がされた状態を表す。図５（ｂ）は、鍵本体部５９の鍵６１による開錠がされた状態を表す。図５（ｃ）は、開錠後にハンドル部６０が引き起こされた状態を表す。図５（ｄ）は、ハンドル部６０が手前側に回された状態を表す。
【００２８】
鍵本体部５９の図５（ｃ）に表す出張り部６７は、鍵６１の回転にともない回転するようにハンドル部６０に組み込まれている。また、図５（ｃ）に表すように部品６２には穴部６５が形成されている。穴部６５には、奥が抉れている抉れ部６６が形成されている。図５（ａ）の状態では、出張り部６７が抉れ部６６に入り込んでいる。そのため、ハンドル部６０は部品６２から手前に引き起こせないようになっている。
【００２９】
図５（ｂ）に表すように開錠すると、出張り部６７が抉れ部６６から外れ、ハ
ンドル部６０が手前に引き起こせるようになる。ハンドル部６０を手前に引き起こせるのは、ハンドル部６０の端部９０７ａの近傍が、部品６２に回転自在に挿入された軸部５４の端部９０７ａ近傍に設けられた図示されない軸部を介してハンドル部６０が接続されているためである。当該接続構造は周知なので詳しい説明は省略される。
【００３０】
そして、図５（ｃ）のように矢印９１１ａの向きにハンドル部６０を回転させると、軸部５４が回転する。それにともない、挿入用部品６ａは、図５（ｄ）に表す向きに回転される。
【００３１】
図６はハンドルユニット１の分解図である。
【００３２】
軸部５４の端部９０８ａ近傍には凸部５３が設けられている。また、挿入用部品３ａには穴６８が設けられている。凸部５３が穴６８に嵌ると、挿入用部品３ａと軸部５４とは一体的に回転するようになる。
【００３３】
先端部５７には、ねじ軸部５１が設けられている。また、軸部５４には、ねじ穴５２が設けられている。挿入用部品３ａは、穴６８に凸部５３が嵌った状態で、先端部５７のねじ軸部５１が軸部５４のねじ穴５２に螺合され、軸部５４に固定される。
【００３４】
図７は、図３に表す軸部３１の構成を表す概念図である。
【００３５】
軸部３１は、回転軸部９と挿入用部品３ｂとを備える。回転軸部９には、溝１０ａ及び１０ｂが形成されている。溝１０ａ及び１０ｂは、回転軸部９の図３に表す部材３６ａ及び３６ｂに、これらに対して回転可能なように挿入される部分である。
【００３６】
回転軸部９の端部９０６ａ近傍には挿入用部品３ｂが固定されている。また、回転軸部９の端部９０６ｂ近傍には凹部８が形成されている。凹部８は、施錠側扉２１が閉められた状態で、図４（ａ）及び（ｂ）に表す先端部５７の凸部５が挿入される部分である。当該挿入により回転軸部９は図４に表す先端部５７、挿入用部品３ａ及び軸部５４と一体となって回転し得る。
【００３７】
また、凸部５は図４（ｂ）の見方において直方体からずれた台形になっている。そのため、凸部５と凹部８とは、正しい回転位置関係になっていないと嵌らない。なお、凸部５の図４（ｂ）に相当する見方における形状は、台形以外でも構わない。しかしながら、当該形状の回転対称は台形のように一回対称である方が望ましい。その理由は、一回対称であれば、凸部５と凹部８とが、正しい回転位置関係になっていないと嵌らないため、誤った回転位置で嵌って軸部３１が誤動作する危険性を排除できるからである。当該誤動作は、例えば、挿入用部品３ｂが図２に表す被挿入用部品１９ｂと反対側面部材２２ａとの隙間に嵌らず、反対側扉２２がロックされないことである。
【００３８】
図８は軸部３１の分解図である。挿入用部品３ｂに設けられた穴６９に部品１１の凸部７０が挿入され、部品１１がねじ１３により回転軸部９にねじ止めされることにより、挿入用部品３ｂは回転軸部９に固定される。
【００３９】
図９は、軸部３１及び被挿入用部品１９ａの本体部１８への設置のされ方を表す概念図である。
【００４０】
本体部１８の側面部材１８ａの裏面９０１ｂには、図９（ａ）に表すように、図３に表す部材３６ａ及び３６ｂの下部である下部３２ａ及び３２ｂが固定されている。下部３２ａ及び３２ｂには、半円部１５ａａ及び１５ｂａが設けられている。軸部３１の回転軸部９の溝１０ａ及び１０ｂは、図９（ｂ）に表すように、半円部１５ａａ及び１５ｂａ上に置かれる。その上で、上部３３ａ及び３３ｂの半円部１５ａｂ及び１５ｂｂが溝１０ａ及び１０ｂの上に位置するようにこれらを、回転軸部９に被せる。その上で、ねじ１３ａａ及び１３ａｂにより上部３３ａを下部３２ａに、ねじ１３ｂａ及び１３ｂｂで上部３３ｂを下部３２ｂに、各々固定する。こうして、軸部３１は、本体部１８に設置される。
【００４１】
一方、図９（ａ）に表すように、被挿入用部品１９ａの平坦部分２４ａは部材２３ａを介して本体部１８の縦フレーム１８ｃに固定される。
【００４２】
図１０は、キャビネット１０１の反対側扉２２を閉める様子を表す概念図である。図１０（ａ）は、反対側扉２２を閉める前の状態を表す。この状態では、軸部３１の挿入用部品３ｂの向きは、反対側扉２２を開いたときから変更されておらず、下向きである。従い、反対側扉２２は、その被挿入用部品１９ｂが挿入用部品３ｂに妨げられることなく、図１０（ｂ）に表すように閉まる。前述のように蝶番２０ｃ及び２０ｄがスプリング蝶番であれば、反対側扉２２は自動的に閉まり、反対側扉２２の施錠漏れを防ぎ得る。
【００４３】
図示は省略されるが、施錠側扉２１は、閉める直前の状態では、ハンドルユニット１の挿入用部品３ａは、図５（ｄ）に表すように下向きである。そのため、施錠側扉２１は、施錠側扉２１に設置された挿入用部品３ｂが本体部１８の被挿入用部品１９ａに妨げられることなく、閉まる。
【００４４】
前述のように、施錠側扉２１及び反対側扉２２が閉まった後に、ハンドルユニット１のハンドル操作（図５参照）により、図１に表す挿入用部品３ａは本体部１８の縦フレーム１８ｃに設置された被挿入用部品１９ａと縦フレーム１８ｃとの間に挿入される。それと同時に、図２に表す挿入用部品３ｂは、被挿入用部品１９ｂと反対側扉２２の反対側面部材２２ａとの間に挿入される。
【００４５】
図１１は、挿入用部品３ａが被挿入用部品１９ａと縦フレーム１８ｃとの間への挿入された状態を表す概念図である。図１１（ａ）は当該状態の斜視図であり図１１（ｂ）は断面図である。
【００４６】
被挿入用部品１９ａは、例えば、折れ曲がった弾性金属板からなり、平坦部分２４ａ乃至２４ｄは当該金属板の部分である。被挿入用部品１９ａの平坦部分２４ａは部材２３ａを介して本体部１８の縦フレーム１８ｃに固定されている。また、被挿入用部品１９ａの平坦部分２４ｄは部材２３ｂを介して本体部１８の縦フレーム１８ｃに固定されている。
【００４７】
図１１に表す状態では、図１１（ｂ）に表すように、挿入用部品３ａは、被挿入用部品１９ａの平坦部分２４ｂと縦フレーム１８ｃ（図１参照）との間に挿入されている。当該挿入は、被挿入用部品１９ａの平坦部分２４ｃ及び２４ｄと本体部１８の縦フレーム１８ｃとの間を挿入用部品３ａが経由することにより行われたものである。
【００４８】
前述のように、ハンドルユニット１のハンドル操作（図５参照）により、軸部３１の挿入用部品３ｂは、図２に表す反対側扉２２に設けられた被挿入用部品１９ｂと反対側扉２２の反対側面部材２２ａの裏面９０１ｄとの間に挿入される。
【００４９】
図１２は、挿入用部品３ｂの被挿入用部品１９ｂと反対側面部材２２ａとの間への挿入後の状態を表す概念図である。図１２（ａ）は当該状態をキャビネット１０１の全体と共に表す斜視図である。また、図１２（ｂ）は、挿入用部品３ｂ及び被挿入用部品１９ｂの近傍を拡大した斜視図である。また、図１２（ｃ）は、図１２（ｂ）に表す部分の断面図である。
【００５０】
被挿入用部品１９ｂは、例えば、折れ曲がった弾性金属板からなり、部分２５ａ乃至２５は当該金属板の部分である。被挿入用部品１９ｂの平坦部分２５ａ及び２５ｄは反対側扉の縦フレーム２２ｃ（図２参照）に固定されている。
【００５１】
図１２の状態では、図１２（ａ）乃至（ｃ）に表すように、挿入用部品３ｂは横向き（キャビネット１０１の底面に略平行な向き）である。また、図１２（ｃ）に表すように、挿入用部品３ｂは、被挿入用部品１９ｂの平坦部分２５ｂと反対側扉２２の反対側面部材２２ａ（図２参照）との間に挿入されている。当該挿入は、挿入用部品３ｂが、被挿入用部品１９ｂの平坦部分２５ｃ及び２５ｄと反対側扉２２の反対側面部材２２ａとの間を経由することにより行われたものである。
［効果］
第一実施形態のキャビネットが施錠される場合は、まず、ハンドルユニットのハンドルが操作され、施錠側扉に設置された第一の挿入用部品を本体部に設けられた第一の被挿入用部品と本体部との間に挿入される。これにより、施錠側扉が開かないようにされる。前記ハンドル操作により、本体部に設置された軸部に設置された第二の挿入用部品が、反対側扉に設けられた第二の被挿入用部品と反対側扉との間に挿入される。これにより、反対側扉は開かないようにされる。その上で、前記ハンドルユニットは、施錠により、ハンドル操作ができなくされる。このようにして、前記キャビネットは、前記ハンドル操作の上で前記施錠を行うことにより、施錠側扉と反対側扉とを同時に施錠された状態にすることができる。
【００５２】
第一実施形態のキャビネットは、施錠側扉と反対側扉とを同時に施錠するために、特許文献１の構造のように一方の扉を施錠する操作をしてから他方の扉を取り付けるという複雑な作業を必要としない。そのため、第一実施形態のキャビネットは、複数の扉の施錠を一つの扉において行う施錠装置における施錠のための作業性を向上させ得る。
＜第二実施形態＞
第二実施形態は、施錠側扉に加えて側面扉が開閉するキャビネットに関する実施形態である。
［構成と動作］
図１３及び図１４は、第二実施形態のキャビネットの例であるキャビネット１０１の構成を表す概念図である。図１３は、施錠側扉２１及び側面扉２５を閉じた状態を表す。図１４は、施錠側扉２１及び側面扉２５を開いた状態を表す。
【００５３】
本実施形態のキャビネット１０１は、本体部１８と、施錠側扉２１と、側面扉２５とを備える。
【００５４】
施錠側扉２１は、図１３に表すようにハンドルユニット１を備える。ハンドルユニット１は、第一実施形態で説明したものと同様のものである。従い、その説明は省略される。
【００５５】
図１４に表すように、本体部１８の柱部１８ｄには部材３６ａが、柱部１８ｅには部材３６ｂが、各々、固定されている。そして、部材３６ａ及び３６ｂには、軸部３１がその回転軸部９が部材３６ａ及び３６ｂに対して回転可能なように設置されている。回転軸部９には挿入用部品３ｂｂが固定されている。挿入用部品３ｂｂの端部には折れ曲がった部分である曲折部３ｂｂａが設けられている。
【００５６】
なお、図１３及び図１４には図示されないが、側面扉２５の背面側には施錠時に曲折部３ｂｂａを側面扉２５との間に挿入した場合に側面扉が開かなくなるようにするための部品である被挿入用部品が設置されている。この被挿入用部品は図１６にその一部が表される。
【００５７】
図１５は、図１４に表す軸部３１の本体部１８への設置のされ方を表す概念図である。
【００５８】
軸部３１は、回転軸部９と挿入用部品３ｂｂとを備える。挿入用部品３ｂｂは回転軸部９に固定されている。前述のように挿入用部品３ｂｂの端部には折れ曲がった部分である曲折部３ｂｂａが設けられている。曲折部３ｂｂａは、施錠の際に、図１４に表す側面扉２５の背面側に設けられた前述の被挿入用部品と側面扉２５との間に挿入される部分である。
【００５９】
回転軸部９の端部９０６ａ近傍には溝１０ｂが、端部９０６ｂ近傍には溝１０ａが、各々設けられている。溝１０ａ及び１０ｂは、部材３６ａ及び３６ｂに挿入される部分である。
【００６０】
回転軸部９の端部９０６ｂ近傍には、凹部８が設けられている。凹部８は、図１３に表すように施錠側扉２１を閉めた状態で、ハンドルユニット１の図４に表す凸部５が挿入される部分である。当該挿入により、回転軸部９及び挿入用部品３ｂｂは、図４に表す先端部５７、挿入用部品３ａ及び軸部５４と一体となって回転可能になる。また、凸部５は図４（ｂ）の見方において直方体からずれた形状になっている。そのため、凸部５と凹部８とは、正しい位置関係になっていないと嵌らない。
【００６１】
図１６は、挿入用部品３ｂｂの曲折部３ｂｂａが被挿入用部品１９ｂと側面扉２５との間に挿入された状態を表す概念図である。
【００６２】
側面扉２５の裏面９０１ｅには、被挿入用部品１９ｂの平坦部分２７が固定されている。そして、被挿入用部品１９ｂの平坦部分２６と側面扉２５の裏面９０１ｅとの間に挿入用部品３ｂｂの曲折部３ｂｂａが挿入されている。そのため、この状態において、側面扉２５は開かなくなっている。
【００６３】
この状態において、図１６には表さないが、図１１（ｂ）に表すようにハンドルユニット１の挿入用部品３ａは被挿入用部品１９ｂの平坦部分２４ｂと本体部１８の縦フレーム１８ｃとの間に挿入されている。そのため、図１３に表す施錠側扉２１は開かなくなっている。
【００６４】
従い、この状態で、第一実施形態で説明したようにハンドルユニット１をハンドル操作ができないように施錠することで、施錠側扉２１と側面扉２５とを、施錠側扉２１側から同時に施錠することができる。
［効果］
第二実施形態のキャビネットは、ハンドルユニットのハンドルを操作し、施錠側扉に設置された第一の挿入用部品を本体部に設けられた第一の被挿入用部品と本体部との間に挿入し、施錠側扉が開かないようにする。当該ハンドル操作は、同時に、本体部に設置された軸部を介して、軸部に設置された第二の挿入用部品の折り曲げ部を側面扉に設けられた第二の被挿入用部品と側面扉との間に挿入し、側面扉が開かないようにするものである。また、前記ハンドルユニットは、施錠により、ハンドル操作ができなくなるものである。従い、前記キャビネットは、前記ハンドル操作の上で前記施錠を行うことにより、施錠側扉と側面扉とを同時に施錠することができる。
【００６５】
第二実施形態のキャビネットは、施錠側扉と反対側扉とを同時に施錠するために、特許文献１の構造のように一方の扉を施錠する操作をしてから他方の扉を取り付けるという複雑な作業を必要としない。そのため、第二実施形態のキャビネットは、施錠側扉と反対側扉の施錠を施錠側扉において行うキャビネットにおける施錠のための作業性を向上させ得る。
【００６６】
図１７は、実施形態の施錠装置の最小限の構成である施錠装置１００ｘの構成を表すブロック図である。
【００６７】
施錠装置１００ｘは、第一挿入部３ａｘと第二挿入部３ｂｘと連動部９ｘと操作部１ｘとを備える。
【００６８】
第一挿入部３ａｘは、キャビネットが備える第一扉に設置され前記キャビネットの本体部に設置された第一被挿入部に挿入された場合に前記第一扉を開かなくする。
【００６９】
第二挿入部３ｂｘは、前記本体部に設置され前記キャビネットの第二扉に設置された第二被挿入部に挿入された場合に前記第二扉を開かなくする。
【００７０】
連動部９ｘは、前記第一挿入部の前記第一被挿入部への挿入である第一挿入と前記第二挿入部の前記第二被挿入部への挿入である第二挿入とを連動して行わせる。
【００７１】
操作部１ｘは、前記第一挿入及び前記第二挿入のための操作を開錠により可能にし、前記第一挿入及び前記第二挿入の解除のための操作を施錠により不能にする。
【００７２】
操作部１ｘの操作により、前記開錠により操作部１ｘにより前記第一挿入及び前記第二挿入を連動して行い得る。その上で、前記施錠により、前記第一挿入及び前記第二挿入の解除のための操作を不能にする。これらにより、前記第一扉及び前記第二扉を開けない状態に施錠することができる。すなわち、施錠装置１００ｘは、操作部１ｘが在る位置における操作のみで、前記第一扉及び前記第二扉の施錠が可能である。そのため、施錠装置１００ｘは、特許文献１の構造のように、一方の扉を施錠する操作をしてから、他方の扉を取り付けるという複雑な作業を必要とすることもない。そのため、施錠装置１００ｘは、複数の扉の施錠を一つの扉において行う施錠装置における施錠のための作業性を向上させ得る。
【００７３】
そのため、施錠装置１００ｘは、前記構成により、［発明の効果］の項に記載した効果を奏する。
【００７４】
なお、施錠装置１００ｘは、例えば、図１、図４乃至図６及び図１１に表すハンドルユニット１と、図２、図３、図７乃至図１０、図１２に表す軸部３１又は図１４乃至図１６に表す軸部３１との組合せである。また、第一挿入部３ａｘは、例えば、図１、図４乃至図６及び図１１に表す挿入用部品３ａである。また、第二挿入部３ｂｘは、例えば、図２、図３、図７、図８、図９、図１０及び図１２に表す挿入用部品３ｂ、及び、図１４、図１５及び図１６に表す挿入用部品３ｂｂである。また、操作部１ｘは、図１、図４乃至図６及び図１１に表すハンドルユニット１の、挿入用部品３ａを除く部分である。また、前記キャビネットは、例えば、図１乃至図３、図１０及び図１２乃至図１４に表すキャビネット１０１の、施錠装置以外の部分である。また、第一扉は、例えば、図１、図２、図１０及び図１２乃至図１４に表す施錠側扉である。また、第一被挿入部は、例えば、図１１に表す被挿入用部品１９ａの平坦部分２４ｂと本体部１８の縦フレーム１８ｃとの間である。また、前記連動部は、例えば、図４、図５、図６及び図１１に表す先端部と、図２、図３、図７、図８、図９、図１２、図１４、図１５及び図１６に表す軸部３１との組合せである。また、前記本体部は、例えば、図１、図２、図３、図９、図１０及び図１２乃至図１６に表す本体部１８である。また、第二扉は、例えば、図１、図２、図１０及び図１２に表す反対側扉２２、並びに、図１３、図１４及び図１６に表す側面扉２５である。また、第二被挿入部は、例えば、図１２に表す挿入用部品３ｂの平坦部分２５ｂと反対側扉２２の反対側面部材２２ａとの間である。また、前記開錠及び前記施錠は、例えば、図４及び図５に表す鍵本体部５９の図５に表す鍵６１による施錠である。
【００７５】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【００７６】
また、前記の実施形態の一部又は全部は、以下の付記のようにも記述され得るが、以下には限られない。
（付記１）
キャビネットが備える第一扉に設置され前記キャビネットの本体部に設置された第一被挿入部に挿入された場合に前記第一扉を開かなくする第一挿入部と、
前記本体部に設置され前記キャビネットの第二扉に設置された第二被挿入部に挿入された場合に前記第二扉を開かなくする第二挿入部と、
前記第一挿入部の前記第一被挿入部への挿入である第一挿入と前記第二挿入部の前記第二被挿入部への挿入である第二挿入とを連動して行わせる連動部と、
前記第一挿入及び前記第二挿入のための操作を開錠により可能にし、前記第一挿入及び前記第二挿入の解除のための操作を施錠により不能にする操作部と、
を備える、
施錠装置。
（付記２）
前記操作部は前記第一扉に設置されている、付記１に記載された施錠装置。
（付記３）
前記第一挿入部は前記操作部に接続されている、付記１又は付記２に記載された施錠装置。
（付記４）
前記第一挿入部及び前記第二挿入部は、前記操作部が備えるハンドルを操作することにより行われる、付記１乃至付記３のうちのいずれか一に記載された施錠装置。
（付記５）
前記施錠により前記ハンドルが操作不能になる、付記４に記載された施錠装置。
（付記６）
前記第一扉が閉まった時に、前記第一挿入部と前記第二挿入部とが前記連動部により連結される、付記１乃至付記５のうちのいずれか一に記載された施錠装置。
（付記７）
前記連結が前記連動部が備える回転軸を介して行われる、付記６に記載された施錠装置。
（付記８）
前記第一扉が開いた時に前記連結が解除される、付記６又は付記７に記載された施錠装置。
（付記９）
前記第一被挿入部が、前記第一扉に設置された第一部品と前記第一扉との間である、付記１乃至付記８のうちのいずれか一に記載された施錠装置。
（付記１０）
前記第二被挿入部が、前記第二扉に設置された第二部品と前記第二扉との間である、付記１乃至付記９のうちのいずれか一に記載された施錠装置。
（付記１１）
前記第一扉と前記第二扉とが対向している、付記１乃至付記１０のうちのいずれか一に記載された施錠装置。
（付記１２）
前記第一扉が前記キャビネットの前面にあり、前記第二扉が前記キャビネットの背面にある、付記１乃至付記１１のうちのいずれか一に記載された施錠装置。
（付記１３）
前記第一扉が前記キャビネットの前面にあり、前記第二扉が前記キャビネットの側面にある、付記１乃至付記１２のうちのいずれか一に記載された施錠装置。
（付記１４）
前記第二挿入部が折れ曲がっている、付記１３に記載された施錠装置。
（付記１５）
前記第一挿入及び前記第二挿入は機械的動作のみにより行われる、付記１乃至付記１４のうちのいずれか一に記載された施錠装置。
（付記１６）
前記施錠は機械的動作のみにより行われる、付記１乃至付記１５のうちのいずれか一に記載された施錠装置。
（付記１７）
付記１乃至付記１６のうちのいずれか一に記載された施錠装置と前記キャビネットとを備える施錠可能キャビネット。
（付記１８）
前記キャビネットは電子装置を収容するためのものである、付記１７に記載された施錠可能キャビネット。
【符号の説明】
【００７７】
１    ハンドルユニット
１ｘ    操作部
３ａ、３ｂ、３ｂｂ    挿入用部品
３ａｘ    第一挿入部
３ｂｘ    第二挿入部
３ｂｂａ    曲折部
５、５３、７０    凸部
８    凹部
９    回転軸部
１０ａ、１０ｂ    溝
１１、６２    部品
１３、１３ａａ、１３ａｂ、１３ｂａ、１３ｂｂ    ねじ
１５ａａ、１５ａｂ、１５ｂａ、１５ｂｂ    半円部
１８    本体部
１８ｂ、１８ｃ、２１ｂ、２２ｂ、２２ｃ    縦フレーム
１８ａ    側面部材
１８ｄ、１８ｅ    柱部
１９ａ、１９ｂ    被挿入用部品
２１    施錠側扉
２０ａ、２０ｂ、２０ｃ、２０ｄ    蝶番
２１ａ    正面部材
２２    反対側扉
２２ａ    反対側面部材
２３ａ、２３ｂ、３１ａ、３１ｂ    部材
２４ａ、２４ｂ、２４ｃ、２４ｄ、２５ａ、２５ｂ、２５ｃ、２５ｄ、２６、２７    平坦部分
２５    側面扉
３１、３１ｂ    軸部
３２ａ、３２ｂ    下部
３３ａ、３３ｂ    上部
５１    ねじ軸部
５２    ねじ穴
５４    軸部
５６    ハンドル装置
５７    先端部
５８ａ、５８ｂ    ねじ穴
５９    鍵本体部
６０    ハンドル部
６１    鍵
６３    鍵穴
６５    穴部
６６    抉れ部
６７    出張り部
６８    穴
１００ｘ    施錠装置
１０１    キャビネット
９０１ａ、９０１ｂ、９０１ｄ、９０１ｅ、９０２ａ    裏面
９０６ａ、９０６ｂ、９０７ａ、９０８ａ    端部
９１１ａ    矢印
【図１】
2020183682.tif 000003
【図２】
2020183682.tif 000004
【図３】
2020183682.tif 000005
【図４】
2020183682.tif 000006
【図５】
2020183682.tif 000007
【図６】
2020183682.tif 000008
【図７】
2020183682.tif 000009
【図８】
2020183682.tif 000010
【図９】
2020183682.tif 000011
【図１０】
2020183682.tif 000012
【図１１】
2020183682.tif 000013
【図１２】
2020183682.tif 000014
【図１３】
2020183682.tif 000015
【図１４】
2020183682.tif 000016
【図１５】
2020183682.tif 000017
【図１６】
2020183682.tif 000018
【図１７】
2020183682.tif 000019